(57)【要約】【課題】連続帳票から各々の内容が相違する冊子を製本するとともに、その冊子とその冊子に対応する枚葉帳票やその他の同封物とを制御コードを参照しながら丁合して封筒に封入する製本封入インライン機を提供する。【解決手段】連続帳票供給部と、連続帳票コードリーダと、制御コードに基づいて所定部分に線糊を施す線糊部と、連続帳票を切断して第１単票を得る切断部と、制御コードに基づいて１つの冊子に丁合する冊子丁合部と、第２単票供給部と、第２単票コードリーダと、制御コードに基づいて丁合し帳票を得る帳票丁合部と、冊子コードリーダと、制御コードに基づいて帳票と冊子を丁合する帳票冊子丁合部と、制御コードに基づいて同封物を丁合し全丁合物を得る同封物丁合部と、封筒供給部と、全丁合物を封筒に封入し封緘する封入封緘部とを具備する。【選択図】  図１
2010221512.tif 000002
【特許請求の範囲】
【請求項１】
可変情報が印刷された個々に切断する前の一連の単票から成る連続帳票を連続帳票移送部へ供給する連続帳票供給部と、
前記連続帳票に印刷された制御コードを読み取る連続帳票コードリーダと、
前記移送される連続帳票に対して冊子を綴じるための線糊を前記連続帳票の制御コードに基づいて所定部分に施す線糊部と、
前記移送される連続帳票を隣接する前記単票の境界において切断し個々に切断した第１単票を得て第１単票移送部へ供給する切断部と、
前記第１単票移送部において移送される前記第１単票に対して前記連続帳票の制御コードに基づいて１つの冊子に丁合すべき第１単票を特定し、その特定された第１単票が１つの冊子となるように丁合し冊子を得て冊子移送部へ供給する冊子丁合部と、
可変情報とともに制御コードが印刷された第２単票から前記制御コードを読み取る第２単票コードリーダと、
前記第２単票の制御コードに基づいて１つの帳票に丁合すべき第２単票を特定し、その特定された第２単票が１つの帳票となるように丁合位置へ供給し丁合する第２単票供給部と、
前記丁合した帳票を前記丁合位置から帳票移送部へ供給する帳票供給部と、
前記冊子移送部において移送される冊子に印刷された制御コードを読み取る冊子コードリーダと、
前記冊子の制御コードと前記第２単票の制御コードに基づいて前記移送される帳票と前記移送される冊子との対応関係が適正となるように前記帳票と前記冊子を丁合し帳票と冊子の丁合物を得て帳票冊子移送部へ供給する帳票冊子丁合部と、
前記制御コードに基づいて丁合すべき同封物を複数種類の同封物の中から選択しその選択された同封物を前記移送される帳票と冊子の丁合物に供給して丁合し帳票と冊子と同封物の丁合物である全丁合物を得る同封物丁合部と、
封筒を封筒移送部へ供給する封筒供給部と、
前記移送される全丁合物を前記封筒移送部において移送される封筒に封入し封緘する封入封緘部と、
を具備することを特徴とする製本封入インライン機。
【請求項２】
請求項１に記載の製本封入インライン機において、前記冊子移送部は、前記冊子丁合部から所定数の冊子が供給される間は移送を停止し、所定数の冊子が供給された後に所定距離の移送を行う間欠移送を行うことを特徴とする製本封入インライン機。
【請求項３】
請求項１または２に記載の製本封入インライン機において、前記帳票冊子丁合部は前記冊子搬送部から丁合位置へと前記冊子の供給を行う冊子供給手段を有し、その冊子供給手段は移動機構と搬送ローラとゲートとから成り、前記移動機構は前記冊子搬送部に載置する前記冊子を真空吸着して一対のローラから成る搬送ローラの入口に設けられた前記ゲートに前記冊子を移動しそのゲートを通して真空吸着を解き、搬送ローラは前記ゲートを通った前記冊子を一対のローラによりニップして供給することを特徴とする製本封入インライン機。
【発明の詳細な説明】
【技術分野】
【０００１】
本発明は製本と丁合と封入の技術分野に属する。特に、連続帳票から各々の内容が相違する冊子を製本するとともに、その冊子とその冊子に対応する枚葉帳票やその他の同封物とを制御コードを参照しながら丁合して封筒に封入する製本封入インライン機に関する。
【背景技術】
【０００２】
封入用包装体に封入包装すべく印字された後の印刷物（印刷用紙）とその封入用包装体との対応関係を誤りのない状態で封入包装処理する印刷加工機が知られている（特許文献１）。また、所定数の帳票と所定数の同封物を丁合させる際に、同封物の供給、搬送エラーに対する復旧時における帳票のマッチングミスを防止封入封緘システムが知られている。（特許文献２）。また、封入封緘した封筒と連続帳票を名寄せすることができ、その他の同封物とともに主封筒に封入封緘することができる封入封緘システムが知られている（特許文献３）。
しかしながら、各々の内容が相違する冊子を製本する工程と、各々の冊子のコードを照合しながら各々の冊子に対応する同封物を丁合して封筒に封入する工程とが連続して行われるインライン機は存在しない。
そのため従来においては、封入封緘作業として事前に用意された枚葉帳票と冊子を、封入機に積載し封入作業を行うよりの他はなかった。その場合には、冊子を事前に用意する必要性があることや冊子の厚みが各々の冊子で異なった場合に、封入機のフィーダーから供給することが困難であるという問題があった。
【先行技術文献】
【特許文献】
【０００３】
【特許文献１】特開平５−１４７６２８
【特許文献２】特開２００２−２９３３０３
【特許文献３】特開２００７−００８６５３
【発明の概要】
【発明が解決しようとする課題】
【０００４】
本発明は上記の問題を解決するために成されたものである。その目的は、連続帳票から各々の内容が相違する冊子を製本するとともに、その冊子とその冊子に対応する枚葉帳票やその他の同封物とを制御コードを参照しながら丁合して封筒に封入する製本封入インライン機を提供することにある。
【課題を解決するための手段】
【０００５】
本発明の請求項１に係る製本封入インライン機は、  可変情報が印刷された個々に切断する前の一連の単票から成る連続帳票を連続帳票移送部へ供給する連続帳票供給部と、  前記連続帳票に印刷された制御コードを読み取る連続帳票コードリーダと、  前記移送される連続帳票に対して冊子を綴じるための線糊を前記連続帳票の制御コードに基づいて所定部分に施す線糊部と、  前記移送される連続帳票を隣接する前記単票の境界において切断し個々に切断した第１単票を得て第１単票移送部へ供給する切断部と、  前記第１単票移送部において移送される前記第１単票に対して前記連続帳票の制御コードに基づいて１つの冊子に丁合すべき第１単票を特定し、その特定された第１単票が１つの冊子となるように丁合し冊子を得て冊子移送部へ供給する冊子丁合部と、  可変情報とともに制御コードが印刷された第２単票から前記制御コードを読み取る第２単票コードリーダと、  前記第２単票の制御コードに基づいて１つの帳票に丁合すべき第２単票を特定し、その特定された第２単票が１つの帳票となるように丁合位置へ供給し丁合する第２単票供給部と、  前記丁合した帳票を前記丁合位置から帳票移送部へ供給する帳票供給部と、  前記冊子移送部において移送される冊子に印刷された制御コードを読み取る冊子コードリーダと、  前記冊子の制御コードと前記第２単票の制御コードに基づいて前記移送される帳票と前記移送される冊子との対応関係が適正となるように前記帳票と前記冊子を丁合し帳票冊子丁合物を得て帳票冊子移送部へ供給する帳票冊子丁合部と、  前記制御コードに基づいて丁合すべき同封物を複数種類の同封物の中から選択し、その選択された同封物を前記移送される帳票と冊子の丁合物に供給して丁合し帳票と冊子と同封物の丁合物である全丁合物を得る同封物丁合部と、  封筒を封筒移送部へ供給する封筒供給部と、  前記移送される全丁合物を前記封筒移送部において移送される封筒に封入し封緘する封入封緘部と、  を具備するようにしたものである。
また、本発明の請求項２に係る製本封入インライン機は、請求項１に係る製本封入インライン機において、前記冊子移送部は、前記冊子丁合部から所定数の冊子が供給される間は移送を停止し、所定数の冊子が供給された後に所定距離の移送を行う間欠移送を行ようにしたものである。
また、本発明の請求項３に係る製本封入インライン機は、請求項１または２に係る製本封入インライン機において、前記帳票冊子丁合部は前記冊子搬送部から丁合位置へと前記冊子の供給を行う冊子供給手段を有し、その冊子供給手段は移動機構と搬送ローラとゲートとから成り、前記移動機構は前記冊子搬送部に載置する前記冊子を真空吸着して一対のローラから成る搬送ローラの入口に設けられた前記ゲートに前記冊子を移動しそのゲートを通して真空吸着を解き、搬送ローラは前記ゲートを通った前記冊子を一対のローラによりニップして供給するようにしたものである。
【発明の効果】
【０００６】
本発明の請求項１に係る製本封入インライン機によれば、  連続帳票供給部により可変情報が印刷された個々に切断する前の一連の単票から成る連続帳票が連続帳票移送部へ供給され、  連続帳票コードリーダにより前記連続帳票に印刷された制御コードが読み取られ、  線糊部により前記移送される連続帳票に対して冊子を綴じるための線糊が前記連続帳票の制御コードに基づいて所定部分に施され、  切断部により前記移送される連続帳票が隣接する前記単票の境界において切断され個々に切断した第１単票が得られて第１単票移送部へ供給され、  冊子丁合部により前記第１単票移送部において移送される前記第１単票に対して前記連続帳票の制御コードに基づいて１つの冊子に丁合すべき第１単票が特定され、その特定された第１単票が１つの冊子となるように丁合され冊子が得られて冊子移送部へ供給され、  第２単票コードリーダにより可変情報とともに制御コードが印刷された第２単票から前記制御コードが読み取られ、  第２単票供給部により前記第２単票の制御コードに基づいて１つの帳票に丁合すべき第２単票が特定され、その特定された第２単票が１つの帳票となるように丁合位置へ供給され丁合され、  帳票供給部により前記丁合した帳票が前記丁合位置から帳票移送部へ供給され、  冊子コードリーダにより前記冊子移送部において移送される冊子に印刷された制御コードが読み取られ、  帳票冊子丁合部により前記冊子の制御コードと前記第２単票の制御コードに基づいて前記移送される帳票と前記移送される冊子との対応関係が適正となるように前記帳票と前記冊子が丁合され帳票冊子丁合物が得られて帳票冊子移送部へ供給され、  同封物丁合部により前記制御コードに基づいて丁合すべき同封物が複数種類の同封物の中から選択され、その選択された同封物が前記移送される帳票と冊子の丁合物に供給されて丁合され帳票と冊子と同封物の丁合物である全丁合物が得られ、  封入封緘部により封筒が封筒移送部へ供給され、  封入封緘部により前記移送される全丁合物が前記封筒移送部において移送される封筒に封入され封緘される。したがって、連続帳票から各々の内容が相違する冊子を製本するとともに、その冊子とその冊子に対応する枚葉帳票やその他の同封物とを制御コードを参照しながら丁合して封筒に封入する製本封入インライン機が提供される。
また、本発明の請求項２に係る製本封入インライン機によれば、請求項１に係る製本封入インライン機において、前記冊子移送部は、前記冊子丁合部から所定数の冊子が供給される間は移送を停止し、所定数の冊子が供給された後に所定距離の移送を行う間欠移送を行う。すなわち、所定数の冊子が積み重ねられた状態で移送されることによって、冊子移送部の全長を短くすることができ、その間に多数の冊子が存在することになる。したがって、設置空間を小さくできるとともに、製本動作とそれ以降の動作との同調を得るときの許容範囲を極めて広げることができる。
また、本発明の請求項３に係る製本封入インライン機によれば、請求項１または２に係る製本封入インライン機において、前記帳票冊子丁合部が前記冊子搬送部から丁合位置へと前記冊子の供給を行う冊子供給手段を有し、その冊子供給手段が移動機構と搬送ローラとゲートとから成り、前記移動機構が前記冊子搬送部に載置する前記冊子を真空吸着して一対のローラから成る搬送ローラの入口に設けられた前記ゲートに前記冊子を移動しそのゲートを通して真空吸着を解き、搬送ローラが前記ゲートを通った前記冊子を一対のローラによりニップして供給する。すなわち、冊子は真空吸着されてゲートを通してローラによりニップされて供給される。したがって、分離した１冊づつの冊子が確実に供給され、冊子が多重に供給する誤動作がなくなる。
【図面の簡単な説明】
【０００７】
【図１】本発明の製本封入インライン機における構成（加工過程と製品）の一例を示す説明図である。
【図２】本発明の製本封入インライン機における構成（加工手段）の一例を示す説明図である。
【図３】本発明の製本封入インライン機における冊子移送部の構成の一例を示す説明図である。
【図４】本発明の製本封入インライン機における冊子供給手段の構成の一例を示す説明図である。
【発明を実施するための形態】
【０００８】
次に、本発明の実施の形態について図を参照しながら説明する。本発明の製本封入インライン機における構成の一例を図１、図２に示す。図１は加工過程と製品（印刷物）の流れを示し、図２は加工手段の構成を示す。図１、図２において、１は連続帳票供給部、２は連続帳票移送部、３は連続帳票コードリーダ、４は線糊部、５は切断部、６は第１単票移送部、７は冊子丁合部、８は冊子移送部、９は第２単票コードリーダ、１０は第２単票供給部、１１は第２単票移送部、１２は帳票移送部、１３は冊子コードリーダ、１４は帳票冊子丁合部、１５は帳票冊子移送部、１６，１７は同封物丁合部、１８は封筒供給部、１９，２１，２４は封筒移送部、２０は封入部、２２は封緘部、２３は検査部、２５は集積部、１００はロール、１０１は連続帳票、１０２は第１単票、１０３は冊子、１０４は第２単票、１０５は帳票、１０６〜１０９は同封物、１１０は封筒である。
【０００９】
連続帳票供給部１は連続帳票を巻き取ったロール１００を巻き解いて連続帳票移送部２へ連続帳票１０１を供給する。連続帳票１０１は可変情報が印刷された個々に切断する前の一連の単票によって構成される。
連続帳票移送部２は連続帳票供給部１から供給された連続帳票１０１を切断部５へと移送する。その移送経路には連続帳票コードリーダ３と線糊部４が存在する。連続帳票移送部２はピントラクタ、ガイドローラ、等からなる移送機構を有し、連続帳票１０１の移送量は正確に制御されている。
連続帳票コードリーダ３は連続帳票１０１に印刷された制御コードを読み取る。制御コードには単票やそれを丁合した冊子の各々を特定するＩＤ情報、等の加工内容の制御を行うためのコード化された制御情報が含まれている。制御コードとしては、たとえば、バーコード、２次元コード（ＱＲコード等）のような周知のコードを使用できる。連続帳票コードリーダ３は、そのようなコードを読み取るコードリーダである。
【００１０】
なお、製本封入インライン機のすべての部分は他の部分と協調した動作を行う。ここで、協調した動作とは、すべての動作（たとえば、連続帳票移送部２においては、移送の開始停止、移送速度の上昇下降、等）において他の部分と同調し干渉せず不整合が生じないことを意味する。この協調した動作は、製本封入インライン機の全体を制御する全体制御部（図示せず）の制御下において行われるように構成することができる。また、各部分が直接関係する隣接部分の動作を検出しながら個々に適正な動作を行い、全体として協調した動作を実現するように構成することができる。
【００１１】
線糊部４は移送される連続帳票１０１に対して冊子を綴じるための線糊を連続帳票１０１の制御コードに基づいて所定部分に施す。線糊部４は線状に糊を塗布する塗布手段と、その塗布手段によって塗布するタイミングを制御する塗布制御手段とから構成される。塗布制御手段は連続帳票１０１の移送信号を連続帳票移送部２から入力しており、制御コードに基づいて連続帳票１０１の塗布すべき位置と塗布手段の塗布する位置とが一致したときに塗布を行い、それ以外のときには塗布を行わないように制御を行う。塗布が行われている間に連続帳票１０１が移送されるため線状に糊が塗布される。線糊部４によるこの塗布により、冊子の中身（単票）が線糊によって接着し一体化する（綴じられる）ようにする。その一方で各々の冊子については線糊によって接着しないように選択的な糊の塗布が行われる。
【００１２】
切断部５は移送される連続帳票１０１を隣接する単票の境界において切断し個々に切断した第１単票１０２を得て第１単票移送部６へ供給する。切断部５は連続帳票を単票に切断する切断手段と、その切断手段によって切断するタイミングを制御する切断制御手段とから構成される。切断制御手段は連続帳票１０１の移送信号を連続帳票移送部２から入力しており、連続帳票１０１の切断すべき位置と切断手段の切断する位置とが一致したときに切断を行い、それ以外のときには切断を行わないように制御を行う。
【００１３】
冊子丁合部７は第１単票移送部６において移送される第１単票１０２に対して連続帳票の制御コードに基づいて１つの冊子１０３に丁合すべき第１単票１０２を特定し、その特定された第１単票１０２を１つの冊子１０３となるように丁合し冊子１０３を得て冊子移送部８へ供給する。第１単票は、たとえば可変情報として、顧客ごとに異なる約款、テキスト、問題集、等を構成する冊子の１枚としての単票である。したがって、１つの冊子１０３に丁合すべき第１単票１０２は通常は複数枚であり、各々の冊子における内容と枚数は一定ではない。
冊子丁合部７は機構である冊子丁合手段と、制御を行う冊子丁合制御手段と、冊子１０３を供給する冊子供給手段とから構成される。冊子丁合手段が所定枚数の第１単票１０２を重ね合わせて一纏まりにする丁合を行うと、線糊を施した部位において重ね合わされた第１単票１０２が接着し綴じられ冊子１０３が得られる。冊子丁合制御手段は制御コードに含まれる冊子ＩＤ情報が共通する第１単票１０２が一纏まりとなるように冊子丁合手段と冊子移動手段を操作する。冊子供給手段は得られた冊子１０３を冊子丁合部７の丁合位置から冊子移送部８の載置位置に供給する。
【００１４】
冊子移送部８は冊子丁合部７から供給される冊子を帳票冊子丁合部１４へ移送する。この冊子移送部８の好適な一例を図３に示す。冊子移送部８は、図３に示す一例において、冊子丁合部７から所定数の冊子が供給される間は移送を停止し、所定数の冊子が供給された後に所定距離の移送を行う間欠移送を行う。この間欠移送により所定数の冊子が積み重ねられた状態で移送されることとなる。そのため、冊子移送部８の全長を短くすることと冊子移送部８に多数の冊子を存在させることとが両立することになる。また、多数の冊子が存在するから、製本動作とそれ以降の動作とを同調させるときの許容範囲を広げることができる。たとえば、連続帳票を巻き取ったロール１００を新規のロールに切り替えるときに、製本動作を停止してもそれ以降の動作を停止しなくて済む。
【００１５】
第２単票コードリーダ９は可変情報とともに制御コードが印刷された第２単票から制御コードを読み取る。
第２単票供給部１０は第２単票１０４の制御コードに基づいて１つの帳票１０５に丁合すべき第２単票１０４を特定し、その特定した第２単票１０４が１つの帳票１０５となるように丁合位置へ供給し丁合する。第２単票１０４は、たとえば、Ｚ折した連続帳票から切断して得る単票である。そのときには、第２単票供給部１０は切断手段を有する。
第２単票１０４は、たとえば可変情報として、封書の宛先（住所、氏名）と、クレジットカードの利用明細が印刷されている単票である。その利用明細が大量であるときにはその印刷部分が長くなり複数ページにおよぶことになる。したがって、丁合すべき第２単票１０４は１枚のときが多いが複数枚のときもある。制御コードには顧客を特定する顧客ＩＤ情報、製品（封書）を特定する製品ＩＤ情報、等の１つの帳票１０５に丁合すべき第２単票１０４を特定する情報が含まれている。
帳票供給部１１は丁合した帳票１０５を丁合位置から帳票移送部１２へ供給する。帳票供給部１１としては丁合すべき第２単票１０４を第２単票供給部１０が供給している間は移送を停止し、終了すると移動を開始する間欠移動手段を使用することができる。
【００１６】
帳票移送部１２は、帳票供給部１１から供給された帳票１０５を帳票冊子丁合部１４へ移送する。
冊子コードリーダ１３は冊子移送部８において移送される冊子１０３に印刷された制御コードを読み取る。
帳票冊子丁合部１４は冊子１０３の制御コードと第２単票の制御コードに基づいて移送される帳票１０５と移送される冊子１０３との対応関係が適正となるように帳票１０５と冊子１０３を丁合し帳票と冊子の丁合物を得て帳票冊子移送部１５へ供給する。
帳票冊子移送部１５は帳票冊子丁合部１４から供給された帳票と冊子の丁合物を封入部２０へ移送する。その移送径路において、帳票と冊子の丁合物に対してさらに同封物の丁合が行われる。
【００１７】
上述した、帳票冊子丁合部１４の好適な一例を図４に示す。帳票冊子丁合部１４は、図４に示す一例において、冊子搬送部８から丁合位置へと冊子１０３の供給を行う冊子供給手段を有する。さらに、その冊子供給手段は移動機構と搬送ローラとゲートとから成る。このゲートには冊子を通過させる隙間（冊子の厚さ方向の間隔）を調節する機構を有しており、この隙間を冊子の１冊は通すが２冊以上は通さない隙間に調節しておく。移動機構は冊子搬送部８に載置する冊子１０３（積重なった冊子）を真空吸着して一対のローラから成る搬送ローラの入口に設けられたゲートに冊子１０３を移動しそのゲートを通して真空吸着を解く。搬送ローラはゲートを通った冊子１０３を一対のローラによりニップして供給する。冊子１０３が２冊以上重なって真空吸着されたときには直接的に真空吸着されている１冊だけがゲートの隙間を通過することができ、他の冊子１０３はゲートと機械的な干渉による力が作用して分離され載置する冊子１０３の部位に戻される。これにより、積重なった冊子の最上部の１冊だけが冊子搬送部８から丁合位置へと供給される。
【００１８】
同封物丁合部１６，１７は冊子１０３または第２単票の制御コードに基づいて丁合すべき同封物を複数種類の同封物１０６，１０７の中から選択し、その選択された同封物を移送される帳票と冊子の丁合物に供給して丁合し帳票と冊子と同封物の丁合物すなわち全丁合物を得る。同封物丁合部は、図１においては４つが示され、図２においては同封物丁合部１６，１７の２つが示されている。同封物丁合部の数は、同封する同封物の種類の数より多ければよく、本発明においてその数は制限されない。同封物は、たとえば、カタログ、パンフレット、等の可変情報を含まない１枚または小冊子の印刷物である。同封物丁合部は顧客ＩＤ情報に対応し、その顧客に提供すべき同封物だけを選択して丁合する。
【００１９】
封筒供給部１８は封筒を封筒移送部１９へ供給する。
封筒移送部１９，２１，２４は封筒供給部１８から供給された封筒を移送する。図１、図２に示す一例においては、封筒移送部１９は封筒供給部１８から封筒が供給され丁合物の封入が行われる移送部であり、封筒移送部２１は丁合物の封入が行われた封筒の封緘と検査が行われる移送部であり、封筒移送部２４は封入封緘された封筒をずれ重なって流れるように集積部２５に移送する移送部である。
封入部２０は全丁合物を封筒１１０に封入する。このとき、全丁合物は帳票冊子移送部１５において移送され封入部２０に到達する。また、封筒１１０は封筒移送部１９において移送され封入部２０に到達する。
封緘部２２は全丁合物が封入された封筒を封緘する。
【００２０】
検査部２３は封入封緘が行われた封筒（製品）の序列、厚み、等の検査を行う。序列の検査は、たとえば、帳票１０５に印刷された宛先、製品ＩＤ情報、等を読み取ることが可能な封筒の透明な窓から製品ＩＤ情報を読み取ることにより、その封筒を製造した順番が適正であるか否かを判定する検査である。厚みの検査は、封筒の中身の量によって異なる封筒の厚さを演算し、その演算した厚さと実測した厚さとが適正であるか否かを判定する検査である。
集積部２５は封入封緘された封筒（製品）を集積する。
【００２１】
以上、構成について説明した。次に、本発明の製本封入インライン機の動作について概括的な説明を行う。
前述したように、図１は加工過程と製品（印刷物）の流れを示している。まず、図１のステップＳ１（ロール用紙供給）において、連続帳票供給部１は連続帳票を巻き取ったロール１００を巻き解いて連続帳票移送部２へ連続帳票１０１を供給する。
次に、ステップＳ２（線糊）において、線糊部４は移送される連続帳票１０１に対して冊子を綴じるための線糊を連続帳票１０１の制御コードに基づいて所定部分に施す。
次に、ステップＳ３（カット）において、切断部５は移送される連続帳票１０１を隣接する単票の境界において切断し個々に切断した第１単票１０２を得て第１単票移送部６へ供給する。
次に、ステップＳ４（冊子丁合）において、冊子丁合部７は１つの冊子１０３に丁合すべき第１単票１０２を特定し、その特定された第１単票１０２を丁合し冊子１０３を得て冊子移送部８へ供給する。
次に、ステップＳ５（冊子搬送）において、冊子移送部８は冊子丁合部７から供給される冊子を積み重ねて簡潔移送方式で帳票冊子丁合部１４へ移送する。
【００２２】
上述のステップＳ１〜Ｓ５は冊子を製本する動作のステップである。それ以降は、その冊子に対して帳票および同封物を丁合するステップである。まず、図１のステップＳ６（帳票フィード）において、第２単票供給部１０は１つの帳票１０５に丁合すべき第２単票１０４が１つの帳票１０５となるように丁合位置へ供給し丁合する。
次に、ステップＳ７（帳票冊子丁合）において、帳票冊子丁合部１４は対応関係が適正となるように帳票１０５と冊子１０３を丁合し帳票と冊子の丁合物を得て帳票冊子移送部１５へ供給する。
次に、ステップＳ８（同封物フィード）において、同封物丁合部１６，１７は丁合すべき同封物を複数種類の同封物１０６，１０７の中から選択し移送される帳票と冊子の丁合物に供給して丁合し帳票と冊子と同封物の丁合物すなわち全丁合物を得る。
【００２３】
上述のステップＳ６〜Ｓ８は冊子と帳票と同封物を丁合し全丁合物を得る動作のステップである。それ以降は、その全丁合物を封筒に封入封緘するステップである。まず、図１のステップＳ９（封筒フィード）において、封筒供給部１８は封筒を封筒移送部１９へ供給する。
次に、ステップＳ１０（封入）において、封入部２０は全丁合物を封筒１１０に封入する。
次に、ステップＳ１１（封緘）において、封緘部２２は全丁合物が封入された封筒を封緘する。
次に、ステップＳ１２（検査）において、検査部２３は封入封緘が行われた封筒（製品）の序列、厚み、等の検査を行う。
【産業上の利用可能性】
【００２４】
不特定多数ではなく、個人を識別できるレベルの顧客に対して、冊子、帳票、同封物を選択的に封入するという付加価値の高いダイレクトメール、法律的に義務づけられた書類の発送、等において利用可能である。
【符号の説明】
【００２５】
１  連続帳票供給部
２  連続帳票移送部
３  連続帳票コードリーダ
４  線糊部
５  切断部
６  第１単票移送部
７  冊子丁合部
８  冊子移送部
９  第２単票コードリーダ
１０  第２単票供給部
１１  第２単票移送部
１２  帳票移送部
１３  冊子コードリーダ
１４  帳票冊子丁合部
１５  帳票冊子移送部
１６，１７  同封物丁合部
１８  封筒供給部
１９，２１，２４  封筒移送部
２０  封入部
２２  封緘部
２３  検査部
２５  集積部
１００  ロール
１０１  連続帳票
１０２  第１単票
１０３  冊子
１０４  第２単票
１０５  帳票
１０６〜１０９  同封物
１１０  封筒
【図１】
2010221512.tif 000003
【図２】
2010221512.tif 000004
【図３】
2010221512.tif 000005
【図４】
2010221512.tif 000006